(57)【要約】【課題】ある地点を通過した複数の車両の振動データから、車格を考慮して当該地点の路面状態を分析する。【解決手段】路面状態分析装置５は、ある地点を通過した複数の車両の各々について、前記地点における車両上下方向振動の変位を表す振動データと、前記地点における前記車両の速度データと、前記車両の車格データとを収集する収集部５１と、前記収集部により収集された前記データを所定の基準速度における最大振幅に変換する変換部５２と、前記変換部による変換後の前記所定の基準速度における最大振幅の平均値を車格毎の平均最大振幅として求める平均化部５３と、車格毎の前記平均値を前記地点における前記データの代表データに加工する正規化部５４とを備えている。【選択図】図５
2019003369.tif 000002
【特許請求の範囲】
【請求項１】
ある地点を通過した複数の車両の各々について、前記地点における車両上下方向振動の変位を表す振動データと、前記地点における前記車両の速度データと、前記車両の車格データとを収集する収集部と、
前記収集部により収集された前記データを所定の基準速度における最大振幅に変換する変換部と、
前記変換部による変換後の前記所定の基準速度における最大振幅の平均値を車格毎の平均最大振幅として求める平均化部と、
車格毎の前記平均値を前記地点における前記データの代表データに加工する正規化部と
を備えた路面状態分析装置。
【請求項２】
前記変換部は、前記収集部により収集された前記データを有する前記車両の各々について、前記速度データが表す速度における前記振動データの車両上下方向振動の最大振幅を、所定の基準速度における最大振幅に変換するものである、請求項１に記載の路面状態分析装置。
【請求項３】
前記平均化部は、前記収集部により収集された前記車格データが表す車格の各々について、当該車格に属する前記車両の、前記変換部による変換後の前記所定の基準速度における最大振幅の平均値を車格毎の平均最大振幅として求めるものである、請求項１又は２に記載の路面状態分析装置。
【請求項４】
前記正規化部は、前記平均化部により求められた前記車格毎の平均最大振幅と、当該車格に属する基準車両がある基準段差を前記所定の基準速度で通過した際の車両上下方向振動の最大振幅とに基づいて、
前記地点における段差の車格別推定値を前記車格毎に求め、前記車格毎に求められた前記段差の車格別推定値の平均値を前記地点における段差の段差推定値として求めるものである、請求項１〜３のいずれか一項に記載の路面状態分析装置。
【請求項５】
前記車両の車格は前記車両の車重によって定められる、請求項１〜４のいずれか一項に記載の路面状態分析装置。
【発明の詳細な説明】
【技術分野】
【０００１】
本発明は、路面状態分析装置に関する。
【背景技術】
【０００２】
特許文献１に、車両を走行させたときの路面の凹凸状態を、その車両の位置情報および走行車線情報と共に路面情報として記憶する路面情報記憶部と、任意の車両からの要求により、前記路面情報記憶部に記憶された路面情報をその車両に送信する送信手段とを備えた道路情報提供装置が記載されている。
【先行技術文献】
【特許文献】
【０００３】
【特許文献１】特開２０１０−２８７０４４号公報
【発明の概要】
【発明が解決しようとする課題】
【０００４】
ある地点を通過した車両に生じる車両上下方向振動の大きさは、車格によって異なる。車格の異なる複数の車両の振動データを単に収集しただけでは、その地点の路面状態の正確な把握は難しいと考えられる。
【０００５】
本発明はこのような実状に鑑みてなされたものであって、ある地点を通過した複数の車両の振動データから、車格を考慮して当該地点の路面状態を分析することを目的とする。
【課題を解決するための手段】
【０００６】
上記目的を達成するために、本発明に係る路面状態分析装置は、ある地点を通過した複数の車両の各々について、前記地点における車両上下方向振動の変位を表す振動データと、前記地点における前記車両の速度データと、前記車両の車格データとを収集する収集部と、前記収集部により収集された前記データを所定の基準速度における最大振幅に変換する変換部と、前記変換部による変換後の前記所定の基準速度における最大振幅の平均値を車格毎の平均最大振幅として求める平均化部と、車格毎の前記平均値を前記地点における前記データの代表データに加工する正規化部とを備えている。
【発明の効果】
【０００７】
本発明によれば、ある地点を通過した複数の車両の振動データから、車格を考慮して当該地点の路面状態を分析することができる。
【図面の簡単な説明】
【０００８】
【図１】路面状態分析システムの説明図である。
【図２】第１の車両の説明図である。
【図３】第１の車両及び地点Ｐを示す説明図である。
【図４】振動の時間的変化を示す波形の説明図である。
【図５】路面状態分析装置の説明図である。
【図６】第２の車両の説明図である。
【図７】平均化のイメージを示す説明図である。
【図８】平均化及び正規化のイメージを示す説明図である。
【発明を実施するための形態】
【０００９】
以下、本発明を図示の実施の形態に基づいて説明する。ただし、本発明は、以下に説明する実施の形態によって限定されるものではない。
【００１０】
図１に示すように、路面状態分析システム１は、第１の車両２及び第２の車両３と、両車両とネットワーク４を通して通信可能な路面状態分析装置５とを備えている。
【００１１】
［第１の車両］
図２に示すように、第１の車両２は、振動検出部２１と速度センサ２２と車両位置取得部２３と車格データ記憶部２４と送信部２５とを備えている。
【００１２】
振動検出部２１は、第１の車両２の車両上下方向の振動を検出し、この振動による変位の時間的変化を表す振動データを生成する。この振動検出部の具体例として、サスペンションに加わる荷重を検出する荷重センサと、エアバッグ作動用の加速度センサとが挙げられる。
【００１３】
図３に示すように、矢印Ｆの方向に進む第１の車両２が路面上のある地点Ｐを通過するとする。地点Ｐには、第１の隆起部６１と第２の隆起部６２とがある。第１の車両２から見て、第２の隆起部６２は第１の隆起部６１よりも前方にある。このような隆起部の一例として、スピードブレーカーが挙げられる。このスピードブレーカーは減速帯とも呼ばれる。
【００１４】
地点Ｐを通過した際に振動検出部２１により取得される振動データの例を図４に示す。同図において、横軸は時間を表し、縦軸は変位を表す。第１の車両２が第１の隆起部６１を通過すると、符号７１に示す正のピークと、それに続く符号７２に示す負のピークが生じる。続いて、第１の車両２が第２の隆起部６２を通過すると、符号７３に示す正のピークと、それに続く符号７４に示す負のピークが生じる。このように、１つの隆起部を通過する場合、変位に関して正のピークと、それに続く負のピークが生じる。
【００１５】
速度センサ２２は、地点Ｐにおける第１の車両２の速度を検出し、その速度を表す速度データを生成する。
【００１６】
車両位置取得部２３は、振動データ及び速度データと関連付けて、第１の車両２の位置データを取得する。本実施形態において、車両位置取得部２３は地点Ｐを表す位置データを取得する。この車両位置取得部の具体例として、ＧＰＳ受信機が挙げられる。
【００１７】
車格データ記憶部２４には、第１の車両２の車格を表す車格データが記憶されている。車格とは車両の格である。例えば、小型車両、中型車両、大型車両という３つの車格を車重によって定め、各車両に格付けをすることができる。第１の車両２が小型車両という車格に格付けされる場合、車格データ記憶部２４には「小型車両」という車格を表す車格データが記憶される。
【００１８】
車格によって、同じ地点を通過した車両に生じる振動の大きさが異なる。例えば、車重が軽く、安価なサスペンションを備えた小型車両が路面上のある隆起部を通過したときは、軽量ゆえサスペンションに加わる荷重は小さいが、車両上下方向の振動（又はその振幅）は比較的大きい。これに対し、重量のある高価なサスペンションを備えた中型車両又は大型車両が同じ隆起部を通過したときは、サスペンションに加わる荷重は大きいが、車両上下方向の振動（又はその振幅）は比較的小さい。
【００１９】
送信部２５は、振動検出部２１と速度センサ２２と車両位置取得部２３と車格データ記憶部２４とに接続される。送信部２５は、振動検出部２１により得られた振動データと、速度センサ２２により得られた速度データと、車両位置取得部２３により取得された位置データと、車格データ記憶部２４に記憶された車格データとを路面状態分析装置５に送る。
【００２０】
［路面状態分析装置］
図５に示すように、路面状態分析装置５は、収集部５１と変換部５２と平均化部５３と正規化部５４と送信部５５とを備えている。各部の機能は後述する。
【００２１】
路面状態分析装置５は、そのハードウェア構成として、各部の機能を実行するように動作可能なプログラム及びデータを格納するメモリと、演算処理を行うプロセッサと、路面状態分析システム内の他の装置と通信するためのインタフェースとを備えている。なお、第１の車両２及び第２の車両３についても同様である。
【００２２】
［第２の車両］
図６に示すように、第２の車両３に設けられている路面状態情報提供装置３１は、路面状態分析装置５から送信されたデータを受信する受信部３１０を備えている。詳細は後述する。
【００２３】
［路面状態分析装置が行う処理］
以下、路面状態分析装置５が行う処理を説明する。まず、収集部５１は、第１の車両２内の送信部２５から送信された第１の車両２の位置データと、該位置データが表す地点における第１の車両２の速度データ及び振動データと、第１の車両２の車格データとを受信する。収集部５１は、第１の車両２及び第２の車両３のいずれでもない他の車両からも、各車両の位置データと該位置データが表す地点における速度データ及び振動データと各車両の車格データとを受信する。
【００２４】
以下に述べる処理は、収集部５１によりデータが収集された車両のうち、地点Ｐを表す位置データを有する車両について行われる。
【００２５】
変換部５２は、地点Ｐを通過した各車両について、当該車両の地点Ｐでの速度における車両上下方向振動の最大振幅（例えば、図４の最大振幅Ａｍａｘ）を、所定の基準速度における最大振幅に変換する。所定の基準速度は、例えば時速４０ｋｍである。
【００２６】
変換部による変換は、車両によって異なり得る地点Ｐにおける速度を考慮するためのものである。速度を考慮する一例として、波形の横軸は時間を同じにする変換をするから、低速領域で同じ段差を通過する波形の変換では、波形は基準速度との比に比例して大きく変換されると考える。なお、後述する平均化については、車速と比例のほか、車速の２乗に比例の関係も考慮する場合がある。
【００２７】
次に、平均化部５３は、車格データが表す車格毎に平均化を行う。例えば、先に述べたように、車格として小型車両、中型車両、大型車両という３つの車格が定められている場合、小型車両、中型車両、大型車両という３つの車格の各々において平均化を行う。
【００２８】
平均化部５３は、小型車両という車格に属する車両の、変換部５２による変換後の前記所定の基準速度における最大振幅の平均値を、小型車両という車格の平均最大振幅として求める。平均化部５３は、同様にして、中型車両という車格の平均最大振幅と、大型車両という車格の平均最大振幅とを求める。なお、標準偏差等の考慮で振幅が突出して大きいか又は小さいデータを排除した上で、平均最大振幅を求めることも可能である。
【００２９】
平均化部５３は、小型車両という車格に属する各車両の上記平均最大振幅を求めた後に、振動を表す波形の各々を個別に分析する場合に、波形全体を変換し、その変換後の最大振幅が平均最大振幅と等しくなるようにすることもできる。平均化部５３は、中型車両という車格に属する各車両の振動を表す波形と、大型車両という車格に属する各車両の振動を表す波形とについても同様に変換することができる。さらには、車速を加味して、基準とする速度での最大振幅を求め、これらの最大振幅の平均値を求めることもできる。
【００３０】
図７に、小型車両の平均化のイメージを示す。同図（ａ）〜（ｃ）はそれぞれ、車両の速度が低速の場合の波形、中程度の速度の場合の波形、高速の場合の波形を示している。
同図（ｄ）〜（ｆ）はそれぞれ、同図（ａ）〜（ｃ）を、前記所定の基準速度に合わせて変換したものである。同図（ｄ）〜（ｆ）から平均最大振幅が得られる。同図（ｇ）〜（ｉ）はそれぞれ、同図（ｄ）〜（ｆ）を、小型車両という車格の平均最大振幅に合わせて変換したものである。
【００３１】
続いて、正規化部５４は、平均化部５３により求められた、小型車両という車格の平均最大振幅（Ａとする）と、小型車両という車格に属する基準車両が前記所定の基準速度で、ある基準段差（段差高さの値をＨとする）を通過した場合の最大振幅（Ｂとする）とに基づいて、地点Ｐにおける段差の推定値（ｈ１とする）を以下のように求める。
ｈ１＝Ｈ＊Ａ／Ｂ
この推定値は、小型車両という車格について求められた、地点Ｐにおける段差の推定値である。
【００３２】
同様にして、正規化部５４は、平均化部５３により求められた、中型車両という車格の平均最大振幅と、中型車両という車格に属する基準車両が前記所定の基準速度で前記基準段差を通過した場合の最大振幅とに基づいて、地点Ｐにおける段差の推定値ｈ２を求める。この推定値は、中型車両という車格について求められた、地点Ｐにおける段差の推定値である。
【００３３】
同様にして、正規化部５４は、平均化部５３により求められた、大型車両という車格の平均最大振幅と、大型車両という車格に属する基準車両が前記所定の基準速度で前記基準段差を通過した場合の最大振幅とに基づいて、地点Ｐにおける段差の推定値ｈ３を求める。この推定値は、大型車両という車格について求められた、地点Ｐにおける段差の推定値である。
【００３４】
ここで、小型車両という車格に属する基準車両は、小型車両という車格に属する任意の車両である。同様に、中型車両という車格に属する基準車両は、中型車両という車格に属する任意の車両である。また、大型車両という車格に属する基準車両は、大型車両という車格に属する任意の車両である。
【００３５】
推定値ｈ１、ｈ２及びｈ３はいずれも、車格毎に求められた地点Ｐにおける段差の車格別推定値である。正規化部５４は、推定値ｈ１、ｈ２及びｈ３の平均値ｈａを、地点Ｐにおける段差の推定値として求める。この推定値ｈａは、第１の車両２を含み、かつ第２の車両３を含まない複数の車両により得られたデータから求められたものである。この推定値ｈａは、第１の車両２を含み、かつ第２の車両３を含まない複数の車両により得られたデータの代表データと呼ぶこともできる。
【００３６】
送信部５５は、正規化部５４により求められた、地点Ｐにおける段差の推定値ｈａを第２の車両３に送る。
【００３７】
これまでに述べた平均化及び正規化のイメージを図８に示す。
同図（ａ）〜（ｃ）は小型車両という車格に属する車両の、３つの波形の例である。
同図（ｄ）〜（ｆ）は中型車両という車格に属する車両の、３つの波形の例である。
同図（ｇ）〜（ｉ）は大型車両という車格に属する車両の、３つの波形の例である。
同図（ｊ）は、同図（ａ）〜（ｃ）から得られる、平均化後の波形である。
同図（ｋ）は、同図（ｄ）〜（ｆ）から得られる、平均化後の波形である。
同図（ｌ）は、同図（ｇ）〜（ｉ）から得られる、平均化後の波形である。
同図（ｍ）は、同図（ｊ）〜（ｌ）から得られる、正規化後の波形である。
正規化は、小型車両という車格に関する同図（ｊ）と、中型車両という車格に関する同図（ｋ）と、大型車両という車格に関する同図（ｌ）とを総合することである。具体的には、同図（ｊ）から得られる小型車両の平均最大振幅に、同図（ｋ）から得られる中型車両の平均最大振幅と、同図（ｌ）から得られる大型車両の平均最大振幅とを合わせることを正規化と呼ぶことができる。あるいは、同図（ｊ）から得られる小型車両の平均最大振幅と、同図（ｋ）から得られる中型車両の平均最大振幅と、同図（ｌ）から得られる大型車両の平均最大振幅とを足して３で割ることを正規化と呼ぶこともできる。
【００３８】
［第２の車両が行う処理］
路面状態情報提供装置３１内の受信部３１０は、路面状態分析装置５から送られた、地点Ｐにおける段差の推定値ｈａを受信する。
【００３９】
路面状態情報提供装置３１はさらに、第２の車両３のドライバーに経路を案内するナビゲーション部３２０を備えている（図６）。受信部３１０が受信した推定値ｈａに基づいて、ナビゲーション部３２０は、第２の車両３のドライバーに、地点Ｐにおける段差の凹凸情報を伝える。
【００４０】
上記のような路面状態分析システムによれば、ある地点を通過した複数の車両の振動データから、車格を考慮して当該地点の路面状態を分析することができる。その分析結果は、路面の凹凸を加味したカーナビゲーションシステムに活用することができる。
【００４１】
前述した路面状態分析システムの機能的構成及び物理的構成は、前述の態様に限られるものではなく、例えば、各機能や物理資源を統合して実装したり、逆に、さらに分散して実装したりすることも可能である。
【００４２】
以上、本発明の実施の形態につき述べたが、本発明は既述の実施の形態に限定されるものではなく、本発明の技術的思想に基づいて各種の変形及び変更が可能である。
【符号の説明】
【００４３】
１  路面状態分析システム
２  第１の車両
２１  振動検出部
２２  速度センサ
２３  車両位置取得部
２４  車格データ記憶部
２５  送信部
３    第２の車両
３１    路面状態情報提供装置
３１０  受信部
３２０  ナビゲーション部
４  ネットワーク
５    路面状態分析装置
５１  収集部
５２  変換部
５３  平均化部
５４  正規化部
５５  送信部
【図１】
2019003369.tif 000003
【図２】
2019003369.tif 000004
【図３】
2019003369.tif 000005
【図４】
2019003369.tif 000006
【図５】
2019003369.tif 000007
【図６】
2019003369.tif 000008
【図７】
2019003369.tif 000009
【図８】
2019003369.tif 000010